(57)【特許請求の範囲】
【請求項１】
容器の吐出口へ取付けられ内容物が吐出する開口を備えた本体と、前記開口を開閉する蓋体と、前記蓋体を回動可能に前記本体へ連設するヒンジ部と、で構成されたキャップに用いられ、
前記蓋体の裏面から立設する接触部材と、
前記本体に形成され、前記接触部材の移動軌跡上に位置し、前記蓋体を開放基準角度を越えて開放させる、或いは該蓋体を開放基準角度まで閉止させると、前記接触部材に弾かれ、クリック音を発生させる被接触部材と、
を有することを特徴とするキャップ。
【請求項２】
前記被接触部材が前記本体から直立する弾性片であることを特徴とする請求項１に記載のキャップ。
【請求項３】
前記弾性片に複数の段部を設け、前記接触部材が前記段部にそれぞれ当たって複数のクリック音を発生させることを特徴とする請求項２に記載のキャップ。
【請求項４】
前記接触部材の移動軌跡上に位置し、前記蓋体が閉止された状態から前記開放基準角度までの間で開閉するときに摺動する前記接触部材を変形させ、蓋体の開閉角度に応じて蓋体を閉止方向又は開放方向に付勢させるガイド部材を前記本体に設けたことを特徴とする請求項１〜３の何れかに記載のキャップ。
【請求項５】
前記接触部材が、前記蓋体の裏面から立設され補強リブが設けられた一対の脚部と、前記脚部の上部に架渡され前記被接触部材に当たる梁材と、で構成されたことを特徴とする請求項１〜４の何れかに記載のキャップ。
【請求項６】
前記補強リブの先端部にＲをつけ、補強リブ及び前記ガイド部材のうち少なくとも一方の接触部を鏡面仕上げとしたことを特徴とする請求項５に記載のキャップ。
【請求項７】
前記ガイド部材の両端部に前記ヒンジ部から離間する方向へ向かって隆起する隆起部を設けると共に、ガイド部材の肉厚を均一にしたことを特徴とする請求項４〜６の何れかに記載のキャップ。
【請求項８】
前記隆起部を円弧状としたことを特徴とする請求項７に記載のキャップ。
【発明の詳細な説明】
【０００１】
【発明の属する技術分野】
本発明は、容器の吐出口に取付けられるキャップに関する。
【０００２】
【従来の技術】
図１３に示すように、キャップ１００の本体１０２には、蓋体１０４が一体成形されており、ヒンジ部１０６を中心に本体１０２に対して回動可能となっている。蓋体１０４のヒンジ部１０６の近傍には、弾性部材１０８が立設しており、中央部には溝部１０８Ａが形成されている。
【０００３】
一方、本体１０２には、弾性部材１０８の移動軌跡上に溝部１０８Ａと係合可能な幅を有し断面が略Ｌ字状のフック１１０が位置しており、蓋体１０４を所定角度閉止させると、フック１１０と溝部１０８Ａとが係合するようになっている。
【０００４】
ここで、フック１１０と溝部１０８Ａとが係合するとき、弾性部材１０８の先端部が、フック１１０の先端部を押圧して弾性変形させて乗り越えると、フック１１０の先端部は、溝部１０８Ａの周縁部に一旦引っ掛かった後、溝部１０８Ａに係合する。この状態で、弾性部材１０８がフック１１０の下方に形成されたリブ１１２に沿って移動する。
【０００５】
また、フック１１０と溝部１０８Ａとが係合解除するときは、溝部１０８Ａの周縁部にフック１１０の先端部を引っ掛けてフック１１０の角度を開く方向へ弾性変形させ、弾性部材１０８の先端部がフック１１０の先端部を乗り越えて溝部１０８Ａが係合解除されるようになっている。
【０００６】
このとき、溝部１０８Ａの周縁部に引っ掛かっていたフック１１０が弾かれ、クリック音が発生する。一方、フック１１０と溝部１０８Ａとが係合するときは、弾性部材１０８の先端部がフック１１０の先端部を乗り越えると共に、フック１１０の先端部が溝部１０８Ａの周縁部に引っ掛かるため、フック１１０は弾かれることなく、クリック音はほとんど発生しない。
【０００７】
ところで、弾性部材１０８は、蓋体１０４を開放したとき、先端部がフック１１０側に若干湾曲しており、弾性部材１０８の先端部がリブ１１２を摺動する過程で、弾性部材１０８の付勢力の方向が反転し、この反転する位置（反転位置）を過ぎるまで蓋体１０４を開くと、蓋体１０４が所定角度まで自動的に開放する。また、逆に反転位置まで蓋体１０４を閉じると、蓋体１０４が所定角度まで自動的に閉じる。
【０００８】
このため、使用するときに蓋体１０４に物がぶつかる等して蓋体１０４が反転位置を越えた場合、蓋体１０４は自動的に所定角度まで閉じてしまい、目が不自由な人の場合、蓋体１０４が所定角度まで閉じてしまっていることが分からないまま、内容物を注出し、蓋体１０４に内容物がかかってしまう恐れがある。
【０００９】
【発明が解決しようとする課題】
本発明は上記事実を考慮し、蓋体が好適に開放された状態であることが誰にでも分かるようにしたキャップを提供することを課題とする。
【００１０】
【課題を解決するための手段】
請求項１に記載の発明は、キャップにおいて、容器の吐出口へ取付けられ内容物が吐出する開口を備えた本体と、前記開口を開閉する蓋体と、前記蓋体を回動可能に前記本体へ連設するヒンジ部と、で構成されたキャップに用いられ、前記蓋体の裏面から立設する接触部材と、前記本体に形成され、前記接触部材の移動軌跡上に位置し、前記蓋体を開放基準角度を越えて開放させる、或いは該蓋体を開放基準角度まで閉止させると、前記接触部材に弾かれ、クリック音を発生させる被接触部材と、を有することを特徴とする。
【００１１】
請求項１に記載の発明では、蓋体の裏面からは接触部材が立設している。一方、本体には被接触部材が形成されており、接触部材の移動軌跡上に位置し、開放基準角度を越えて蓋体を開放させる、或いは該蓋体を開放基準角度まで閉止させると、被接触部材が接触部材に弾かれて、クリック音を発生させる。
【００１２】
このように、開放基準角度を越えて蓋体を開放させると、被接触部材が接触部材に弾かれて、クリック音を発生させることで、蓋体が開放基準角度を越えて開放されたことが誰にでも分かるようになっている。このため、蓋体の好適な開放角度が客観的に分かり、必要以上に蓋体を開放させることがなくなり、ヒンジ部が破損し難くなる。
【００１３】
また、蓋体が開放基準角度を越えて開放された状態から開放基準角度まで蓋体を閉止させると、被接触部材が接触部材に弾かれて、クリック音を発生させるため、蓋体が開放基準角度を越えて閉止されたことが誰にでも分かるようになっている。
【００１４】
このため、蓋体が開放基準角度を越えて開放されている状態において、蓋体が物にぶつかるなどして、半ば閉止された状態になったとしても、開放基準角度より開放された状態から開放基準角度まで蓋体が閉止される課程においてクリック音が発生するので、目が不自由であっても、開放基準角度を越えて閉止されたことが分かり、蓋体が半ば閉止された状態であることが分からないまま、内容物を注出するという恐れはない。
【００１５】
請求項２に記載の発明は、請求項１に記載のキャップにおいて、前記被接触部材が前記本体から直立する弾性片であることを特徴とする。
請求項２に記載の発明では、被接触部材を本体から直立する弾性片とすることで、被接触部材が弾かれやすくなり、クリック音を大きくすることができる。
【００１６】
請求項３に記載の発明は、請求項２に記載のキャップにおいて、前記弾性片に複数の段部を設け、前記接触部材が前記段部にそれぞれ当たって複数のクリック音を発生させることを特徴とする。
請求項３に記載の発明では、弾性片に複数の段部を設けており、接触部材がこの段部にそれぞれ当たって複数のクリック音が発生するようにしている。これにより、内容物が異なり、かつ、同じ形状の容器にこのキャップを用いた場合でも、クリック音の数によって内容物を識別することができ、目が不自由であったとしても内容物を簡単に識別することができる。
【００１７】
請求項４に記載の発明は、請求項１〜３の何れかに記載のキャップにおいて、前記接触部材の移動軌跡上に位置し、前記蓋体が閉止された状態から前記開放基準角度までの間で開閉するときに摺動する前記接触部材を変形させ、蓋体の開閉角度に応じて蓋体を閉止方向又は開放方向に付勢させるガイド部材を前記本体に設けたことを特徴とする。
請求項４に記載の発明では、本体には接触部材の移動軌跡上にガイド部材を設けており、このガイド部材によって、蓋体が閉止された状態から開放基準角度までの間で開閉するときに摺動する接触部材を変形させ、蓋体の開閉角度に応じて蓋体を閉止方向又は開放方向に付勢する。すなわち、蓋体の開閉時に接触部材の変形によってスプリング効果が得られ、僅かな力で蓋体の開閉操作が可能となる。
【００１８】
請求項５に記載の発明は、請求項１〜４の何れかに記載のキャップにおいて、前記接触部材が、前記蓋体の裏面から立設され補強リブが設けられた一対の脚部と、前記脚部の上部に架渡され前記被接触部材に当たる梁材と、で構成されたことを特徴とする。
請求項５に記載の発明では、接触部材を一対の脚部と梁材とで構成している。脚部は蓋体の裏面から立設しており、この脚部には補強リブを設けている。また、脚部の上部には梁材を架渡しており、この梁材が被接触部材に当接する。
【００１９】
請求項６に記載の発明は、請求項５に記載のキャップにおいて、前記補強リブの先端部にＲをつけ、補強リブ及び前記ガイド部材のうち少なくとも一方の接触部を鏡面仕上げとしたことを特徴とする。
請求項６に記載の発明では、補強リブの先端部にＲをつけ、補強リブ及びガイド部材のうち少なくとも一方の接触部を鏡面仕上げにすることで、補強リブの先端部がガイド部材を摺動するときの摩擦抵抗を小さくして、接触部材がスムーズに移動できるようにしている。
【００２０】
請求項７に記載の発明は、請求項４〜６の何れかに記載のキャップにおいて、前記ガイド部材の両端部に前記ヒンジ部から離間する方向へ向かって隆起する隆起部を設けると共に、ガイド部材の肉厚を均一にしたことを特徴とする。
請求項７に記載の発明では、ガイド部材の両端部に、ヒンジ部から離間する方向へ向かって隆起する隆起部を設けると共に、ガイド部材の肉厚を均一にすることで、ガイド部材とヒンジ部との間の空間を設けるために形成された金型の凸部を肉厚にすることができ、金型の寿命を長くすることができる。
【００２１】
請求項８に記載の発明は、請求項７に記載のキャップにおいて、前記隆起部を円弧状としたことを特徴とする。
請求項８に記載の発明では、隆起部を円弧状とすることで、隆起部を角状にした場合と比較して、ガイド部材に内容物が付着してもすぐ拭き取ることができる。
【００２２】
【発明の実施の形態】
本形態に係るキャップの概要について説明する。
【００２３】
図２及び図３に示すように、キャップ１０は略円筒状の本体１２と、本体１２の上面部１２Ａを覆う円筒状の蓋体１４と、本体１２に対して回動可能に蓋体１４を連設するヒンジ片１６と、に大別されている。
【００２４】
本体１２の内周面には雌ネジ部１２Ｂ（図４省略）が形成されており、一方、図１に示すように、容器１８の口部２０には雌ネジ部１２Ｂがねじ込み可能な雄ネジ部２０Ａが形成され、キャップ１０をねじ込み、容器１８に固定させる。
【００２５】
図２に示すように、キャップ１０の本体１２の上面部１２Ａからは、円筒状の吐出口２２が突設しており、容器１８内の内容物が吐出可能となっている。この吐出口２２は蓋体１４のヒンジ片１６から離間する側へズレた位置に配置されており、内容物を吐出させるために少なくとも必要な蓋体１４の開放角度を小さくすることができる。
【００２６】
一方、蓋体１４の裏面からは環状リブ２４が突設しており、開放された蓋体１４を閉止させるとき、蓋体１４の開放角度がθ1（図５参照）になると環状リブ２４は吐出口２２へ内挿され、環状リブ２４の外周面が吐出口２２の内周面を摺動する。
【００２７】
吐出口２２の内周面には、周方向に沿って突部２２Ａが形成されており、一方、環状リブ２４の外周面には、周方向に沿って突部２４Ａが形成されている。ここで、蓋体１４を閉止させるとき、環状リブ２４の突部２４Ａが吐出口２２の突部２２Ａを乗り越えるとクリック音（なお、このクリック音は本発明の特徴であるクリック音とは異なる）が発生すると同時に、蓋体１４が完全に閉止され、吐出口２２が閉塞される（図４参照）。このため、蓋体１４を閉止させるときに、クリック音の発生によって蓋体１４が完全に閉止された状態が分かる。
【００２８】
ところで、本体１２の上面部１２Ａからは平面視にて略矩形状のガイド部２６が立設している。このガイド部２６は、ガイド部材２８と、被接触部材としての弾性片３０と、ヒンジ片１６の基部となるリブ３２と、で構成されている。
【００２９】
このリブ３２は本体１２の外周面に沿って延出しており、リブ３２の先端面には一対の薄肉のヒンジ片１６が設けられ、リブ３２の外側へ向かって延出し屈曲可能となっている。このヒンジ片１６の自由端側には蓋体１４が連設されており、ヒンジ片１６によって蓋体１４と本体１２とが連設され、蓋体１４が本体１２に対して回動可能となる。
【００３０】
また、リブ３２に対面してガイド部材２８が配置されており、ガイド部材２８の両端部とリブ３２の両端部とは側壁３４によって架け渡され、空間３６を構成している。一方、蓋体１４の本体１２側の裏面からは一対の脚部３８が立設しており、脚部３８の先端部は梁材４０によって架け渡されている。この脚部３８と梁材４０によって接触部材４２が構成されている。
【００３１】
この接触部材４２の移動軌跡上には、リブ３２、ガイド部材２８及び側壁３４によって構成された空間３６が位置しており、蓋体１４を開閉させるとき、接触部材４２が空間３６内を挿通可能となっている。
【００３２】
図４〜図９に示すように、蓋体１４が閉止された状態から開放角度θ2の間で接触部材４２は空間３６内を移動する。ここで、図３に示すように、接触部材４２を構成する脚部３８の内側（本体１２と反対側）には、脚部３８の長手方向に沿って補強リブ５０を設けており、脚部３８を補強している。
【００３３】
ここで、図５に示すように、蓋体１４の開閉角度がθ1になると、この補強リブ５０がガイド部材２８の内壁に当接し、図６及び図７に示すように、ガイド部材２８の内壁２８Ａを摺動する。このため、蓋体１４は接触部材４２を介してガイド部材２８によって案内され、蓋体１４が開閉時にぐらつかないようにしている。
【００３４】
ところで、図２に示すように、本体１２の上面部１２Ａの周縁には、段部４４が設けられ、上面部１２Ａよりも一段下がって形成されている。この段部４４の幅は蓋体１４の周壁の肉厚と略同一となっており、蓋体１４を閉止させたときに、蓋体１４の外周面と本体１２の外周面とが面一となるようにしている（図１参照）。
【００３５】
また、図１及び図４に示すように、本体１２の外周面には、ヒンジ部１６の反対側になだらかな凹部４６が上面部１２Ａ側に凹設されている。一方、蓋体１４の外周面には、本体１２に形成された凹部４６と略同一の幅で鍔部４８が周壁の先端面から張り出しており、凹部４６に指を当て、鍔部４８を下方から押し上げて閉止された蓋体１４を開放させる。
【００３６】
本形態に係るキャップの要旨について説明する。
【００３７】
図２及び図４に示すように、リブ３２の先端面からは、リブ３２の内側に沿って弾性片３０を直立させている。この弾性片３０は接触部材４２を構成する梁材４０の移動軌跡上に位置しており、図８に示すように、蓋体１４を開放角度θ3まで開放させると、梁材４０が弾性片３０の先端内側に接触し、この状態からさらに蓋体１４を開放させると、図９に示すように、梁材４０が弾性片３０を弾性変形させ、梁材４０が弾性片３０の先端角部を通過すると、弾性片３０が弾かれ、これによってクリック音が発生する。
【００３８】
ここで、図８に示す開放角度θ3を蓋体１４の開放基準角度とし、蓋体１４がこの開放基準角度θ3を超えるとクリック音が発生する。これにより、蓋体１４が開放基準角度θ3に到達したことが客観的に分かり、必要以上に蓋体１４を開放させることがなくなり、ヒンジ片１６が破損し難くなる。
【００３９】
また、梁材４０は弾性片３０を弾性変形させて弾性片３０の先端角部を通過するため、開放基準角度θ3を超えて蓋体１４が開放された状態で、蓋体１４がヒンジ片１６の復元力によって蓋体１４を閉止させる方向へ回動したとしても、図１０に示すように、梁材４０は弾性片３０の先端面に当接した状態で停止するため、蓋体１４が勝手に閉止することはない。
【００４０】
ところで、蓋体１４を開放基準角度θ3を越えて開放させた後、蓋体１４を閉止させる方向へ回動させると、梁材４０が弾性片３０の先端面に当接した状態で、図１１に示すように、弾性片３０を弾性変形させ、梁材４０が弾性片３０の先端角部を通過すると、弾性片３０が弾かれ、これによってクリック音が発生する。このため、蓋体１４が開放基準角度θ3を越えて閉止されたことが客観的に分かる。
【００４１】
従って、図１０に示すように、蓋体１４が開放基準角度θ3を越えて開放されている状態において、蓋体１４が物にぶつかるなどして、図７に示すように、半ば閉止された状態になったとしても、開放基準角度θ3より開放された状態（図１０参照）から開放基準角度θ3を越えて蓋体１４が閉止される課程においてクリック音が発生するので、目が不自由であっても、開放基準角度θ3を越えて閉止されたことが分かり、蓋体１４が半ば閉止された状態であることが分からないまま、内容物を注出するという恐れはない。
【００４２】
ここで、弾性片３０をリブ３２の内側に沿って直立させることで、弾性片３０の先端部の撓み量を大きくすることができ、弾性片３０が弾かれやすくなり、クリック音を大きくすることができる。
【００４３】
ところで、図４〜図９に示すように、蓋体１４が閉止された状態から開放角度θ2に到達するまでの間、接触部材４２は空間３６内を移動し、蓋体１４の開閉角度がθ1（図５参照）のとき補強リブ５０がガイド部材２８の内壁に当接するが、この状態からさらに蓋体１４を開放させると、図６に示すように、接触部材４２の脚部３８が弾性変形して補強リブ５０の先端部５０Ａが内壁２８Ａを摺動する。
【００４４】
一方、接触部材４２の補強リブ５０の先端部５０ＡにはＲをつけており、これにより、補強リブ５０が内壁２８Ａを摺動するとき、補強リブ５０の先端部５０ＡのＲによって形成された曲面に沿って、接触部材４２の脚部３８が補強リブ５０の先端部５０Ａを介して蓋体１４が開放方向（図７参照）又は閉止方向（図５参照）へ付勢される。すなわち、蓋体１４の開閉時に接触部材４２を弾性変形させることでスプリング効果が得られ、僅かな力で蓋体１４の開閉操作が可能となる。
【００４５】
また、補強リブ５０の先端部５０Ａ及びガイド部材２８の内壁２８Ａにおいて、少なくとも一方を鏡面仕上げにしている。この鏡面仕上げのレベルは、ＪＩＳ規格による表面粗さを示す記号としてＭＲ−３（表面粗さの範囲は０．２４〜０．４８μＲZ）を指定している。これにより、補強リブ５０の先端部５０Ａがガイド部材２８を摺動するときの摩擦抵抗を小さくして、補強リブ５０を介して蓋体１４がスムーズに開閉できるようにしている。
【００４６】
ところで、図３に示すように、ガイド部材２８の両端部には，リブ３２から離間する方向へ向かって円弧状に隆起する隆起部５２が設けられており、この隆起部５２に合わせてガイド部材２８の内壁側もリブ３２から離間する方向へ向かって隆起し、ガイド部材２８の肉厚を均一にしている。これにより、ガイド部２６によって設けられた空間３６では、ガイド部材２８の両端部において、リブ３２からの離間距離が長くなっている。
【００４７】
また、ガイド部２６によって設けられた空間３６を形成させるため、キャップ１０を成形するための金型（図示省略）では凸部が突設されるが、ガイド部材２８の両端部でリブ３２からの離間距離を長くすることで、凸部の両端部を肉厚にすることができる。
【００４８】
このため、金型の寿命を長くすることができる。また、隆起部５２を円弧状としているため、隆起部５２を角状にした場合と比較して、ガイド部材２８に内容物が付着してもすぐ拭き取ることができる。
【００４９】
なお、ここでは、接触部材４２の梁材４０が弾性片３０を弾くことでクリック音を発生させたが、例えば、図１２に示すように、弾性片５４の内側に複数の段部５６を設け、梁材５８がこの段部５６にそれぞれ当たり複数のクリック音が発生するようにしても良い。
【００５０】
これにより、内容物が異なり、かつ、同じ形状の容器にこのキャップを用いた場合でも、クリック音の数によって内容物を識別することができ、目が不自由であったとしても内容物を簡単に識別することができる。
【００５１】
次に、本形態に係るキャップの蓋の開閉方法について説明する。
【００５２】
まず、閉止された蓋体１４を開放する方法について説明する。
【００５３】
図４に示すように、蓋体１４の外周面から張り出す鍔部４８を指で押し上げ、蓋体１４を矢印Ａ方向へ開放させる。これにより、蓋体１４に設けられた環状リブ２４と本体１２に設けられた吐出口２２との係合状態が解除される。このとき、環状リブ２４に形成された突部２４Ａが吐出口２２に形成された突部２２Ａを乗り越えるため、クリック音が発生する。
【００５４】
この状態からさらに蓋体１４を開放させると、図５に示すように、補強リブ５０の先端部５０Ａがガイド部材２８の内壁に当接する。そして、さらに蓋体１４を開放させると、図６に示すように、接触部材４２の脚部３８が弾性変形し、補強リブ５０の先端部５０ＡのＲに沿って開放方向へ蓋体１４を付勢して、図７に示すように、蓋体１４が開放角度θ4まで開放される。
【００５５】
この状態からさらに蓋体１４を開放させると、図８に示すように、接触部材４２の梁材４０が弾性片３０の先端内側に接触して蓋体１４が開放基準角度θ3に到達する。そして、図９に示すように、弾性片３０を弾性変形させ、蓋体１４の開放角度が開放基準角度θ3を越えると、図１０に示すように、梁材４０が弾性片３０の先端角部を通過し、弾性片３０が弾かれ、クリック音が発生する。
【００５６】
ここで、図１０に示す状態からさらに蓋体１４が開放された状態では、ヒンジ片１６の復元力により蓋体１４が閉止方向へ回動したとしても、梁材４０が弾性片３０の先端面に当接した状態のまま蓋体１４がこれ以上は閉止されない。
【００５７】
次に、開放された蓋体１４を閉止させる方法について説明する。
【００５８】
開放基準角度θ3を越えて開放された蓋体１４を閉止させると、図１０に示すように、接触部材４２の梁材４０が弾性片３０の先端面に接触する。この状態からさらに閉止させると、図１１に示すように、弾性片３０が弾性変形し、梁材４０が弾性片３０の先端角部を通過すると、弾性片３０が弾かれ、クリック音が発生する。これにより、蓋体１４が開放基準角度θ3を越えて閉止されたことが分かる。
【００５９】
この状態からさらに蓋体１４を閉止させると、図７に示すように、接触部材４２の脚部３８に設けられた補強リブ５０がガイド部材２８の内壁に当接する。そして、さらに蓋体１４を閉止させると、図６に示すように、脚部３８が弾性変形して補強リブ５０の先端部５０ＡのＲに沿って蓋体１４を閉止方向へ付勢して、図５に示すように、蓋体１４が開放角度θ1まで閉止される。
【００６０】
この状態で蓋体１４の上面を押圧すると、蓋体１４の裏面に設けられた環状リブ２４の突部２４Ａが本体１２の吐出口２２の突部２２Ａを乗り越え、クリック音が発生して蓋体１４が完全に閉止される。
【００６１】
【発明の効果】
本発明は上記構成としたので、請求項１に記載の発明では、蓋体が開放基準角度を越えて開放されたことが誰にでも分かるようになっているため、蓋体の好適な開放角度が客観的に分かり、必要以上に蓋体を開放させることがなくなり、ヒンジ部が破損し難くなる。
【００６２】
また、蓋体が開放基準角度を越えて閉止されたことが誰にでも分かるようになっているため、蓋体が開放基準角度を越えて開放されている状態において、蓋体が物にぶつかるなどして、半ば閉止された状態になったとしても、開放基準角度より開放された状態から蓋体が閉止される課程においてクリック音が発生するので、目が不自由であっても、開放基準角度を越えて閉止されたことが分かり、蓋体が半ば閉止された状態であることが分からないまま、内容物を注出するという恐れはない。
【００６３】
請求項２に記載の発明では、被接触部材が弾かれやすくなり、クリック音を大きくすることができる。請求項３に記載の発明では、内容物が異なり、かつ、同じ形状の容器にこのキャップを用いた場合でも、クリック音の数によって内容物を識別することができ、目が不自由であったとしても内容物を簡単に識別することができる。請求項５に記載の発明では、蓋体の開閉時に接触部材の変形によってスプリング効果が得られ、僅かな力で蓋体の開閉操作が可能となる。
【００６４】
請求項６に記載の発明では、補強リブの先端部がガイド部材を摺動するときの摩擦抵抗を小さくして、接触部材がスムーズに移動できるようにしている。請求項７に記載の発明では、ガイド部材とヒンジ部との間の空間を設けるために形成された金型の凸部を肉厚にすることができ、金型の寿命を長くすることができる。請求項８に記載の発明では、隆起部を角状にした場合と比較して、ガイド部材に内容物が付着してもすぐ拭き取ることができる。
【図面の簡単な説明】
【図１】本形態に係るキャップ及び容器を示す斜視図である。
【図２】本形態に係るキャップを示す斜視図である。
【図３】本形態に係るキャップを示す平面図である。
【図４】本形態に係るキャップの蓋体が閉止された状態を示す断面図である。
【図５】本形態に係るキャップの蓋体の開放角度がθ1の状態を示す断面図である。
【図６】本形態に係るキャップの接触部材が弾性変形している状態を示す断面図である。
【図７】本形態に係るキャップの蓋体の開放角度がθ4の状態を示す断面図である。
【図８】本形態に係るキャップの蓋体の開放基準角度θ3を示す断面図である。
【図９】本形態に係るキャップの蓋体の開放角度がθ2の状態を示す断面図である。
【図１０】本形態に係るキャップの蓋体が開放基準角度を超えて開放された状態を示す断面図である。
【図１１】本形態に係るキャップの蓋体が開放基準角度を超えて開放された状態から閉止させている状態を示す断面図である。
【図１２】本形態に係るキャップの他の例を示す断面図である。
【図１３】従来のキャップを示す斜視図である。
【符号の説明】
１０   キャップ
１２   本体
１４   蓋体
１６   ヒンジ片（ヒンジ部）
２８   ガイド部材
２８Ａ 内壁（接触部）
３０   弾性片（被接触部材）
３８   脚部（接触部材）
４０   梁材（接触部材）
４２   接触部材
５０   補強リブ
５０Ａ 先端部（接触部）
５２   隆起部
５４   弾性片（被接触部材）
５６   段部
５８   梁材（接触部材）
【図１】
0003953318.tif 000002
【図２】
0003953318.tif 000003
【図３】
0003953318.tif 000004
【図４】
0003953318.tif 000005
【図５】
0003953318.tif 000006
【図６】
0003953318.tif 000007
【図７】
0003953318.tif 000008
【図８】
0003953318.tif 000009
【図９】
0003953318.tif 000010
【図１０】
0003953318.tif 000011
【図１１】
0003953318.tif 000012
【図１２】
0003953318.tif 000013
【図１３】
0003953318.tif 000014